(57)【要約】【課題】ラインセンサーの使用を抑えつつ用紙の副走査曲がりを補正することが可能な画像形成装置および搬送制御方法を提供する。【解決手段】画像形成装置は、用紙に画像を転写する転写部と、用紙搬送方向における転写部の上流側に設けられる用紙搬送部材と、用紙を前記用紙搬送方向と直交する幅方向に揺動させるように用紙搬送部材の揺動制御を行う制御部と、を備える。制御部は、用紙の先端が転写部に入るまでは、用紙の幅方向の端部を検出する検出部の検出結果に基づいて揺動制御を行う第１制御を実行し、用紙の先端が転写部に入ると、用紙上の画像の位置が正しくなるような用紙搬送部材の揺動態様を規定するプリセット値を用いて揺動制御を行う第２制御を、第１制御の制御内容に基づいて実行する。【選択図】図６
2018184234.tif 000002
【特許請求の範囲】
【請求項１】
用紙に画像を転写する転写部と、
用紙搬送方向における前記転写部の上流側に設けられる用紙搬送部材と、
前記用紙を前記用紙搬送方向と直交する幅方向に揺動させるように前記用紙搬送部材の揺動制御を行う制御部と、
を備え、
前記制御部は、
前記用紙の先端が前記転写部に入るまでは、前記用紙の前記幅方向の端部を検出する検出部の検出結果に基づいて前記揺動制御を行う第１制御を実行し、
前記用紙の先端が前記転写部に入ると、前記用紙上の画像の位置が正しくなるような前記用紙搬送部材の揺動態様を規定するプリセット値を用いて前記揺動制御を行う第２制御を、前記第１制御の制御内容に基づいて実行する、
画像形成装置。
【請求項２】
前記制御部は、前記第１制御において揺動させた、前記用紙搬送部材の揺動量及び揺動方向に応じて、前記プリセット値を補正する、
請求項１に記載の画像形成装置。
【請求項３】
前記制御部は、
前記第１制御における前記用紙搬送部材の揺動動作内容を、搬送方向に沿った前記用紙の位置に応じて、前記第２制御における前記用紙搬送部材の揺動動作内容に反映させるように、前記プリセット値を補正する、
請求項２に記載の画像形成装置。
【請求項４】
前記制御部は、
前記第１制御において前記用紙搬送部材を複数回揺動させて、
前記検出部の検出結果に基づいて、当該用紙の傾き量を特定し、該傾き量に応じて前記プリセット値を補正する、
請求項２に記載の画像形成装置。
【請求項５】
前記制御部は、前記プリセット値が画像形成条件に応じて登録されているテーブルの対応するプリセット値を補正する、
請求項２から４のいずれかに記載の画像形成装置。
【請求項６】
前記制御部は、前記用紙の種類に応じて設けられているテーブルの対応するプリセット値を補正する、
請求項５に記載の画像形成装置。
【請求項７】
前記制御部は、前記画像形成装置の周囲の温湿度に応じて設けられているテーブルの対応するプリセット値を補正する、
請求項５に記載の画像形成装置。
【請求項８】
前記制御部は、前記用紙の表裏に応じて設けられているテーブルの対応するプリセット値を補正する、
請求項５に記載の画像形成装置。
【請求項９】
前記制御部は、給紙トレイ毎に設けられているテーブルの対応するプリセット値を補正する、
請求項５に記載の画像形成装置。
【請求項１０】
前記制御部は、前記用紙に形成する画像のカバレッジに応じて設けられているテーブルの対応するプリセット値を補正する、
請求項５に記載の画像形成装置。
【請求項１１】
前記制御部は、前記検出部の検出結果に応じて、前記プリセット値を生成または更新する、
請求項１から１０のいずれかに記載の画像形成装置。
【請求項１２】
用紙に画像を転写する転写部と、用紙搬送方向における前記転写部の上流側に設けられる用紙搬送部材と、を備え、前記用紙を前記用紙搬送方向と直交する幅方向に揺動させるように前記用紙搬送部材の揺動制御を行う画像形成装置の搬送制御方法であって、
前記用紙の先端が前記転写部に入るまでは、前記用紙の前記幅方向の端部の検出結果に基づいて前記揺動制御を行う第１制御を実行し、
前記用紙の先端が前記転写部に入ると、前記用紙上の画像の位置が正しくなるような前記用紙搬送部材の揺動態様を規定するプリセット値を用いて前記揺動制御を行う第２制御を、前記第１制御の制御内容に基づいて実行する、
搬送制御方法。
【発明の詳細な説明】
【技術分野】
【０００１】
本発明は、画像形成装置および搬送制御方法に関する。
【背景技術】
【０００２】
一般に、電子写真プロセス技術を利用した画像形成装置（プリンター、複写機、ファクシミリ等）は、帯電した感光体ドラム（像担持体）に対して、画像データに基づくレーザー光を照射（露光）することにより静電潜像を形成する。そして、画像形成装置では、静電潜像が形成された感光体ドラムへ現像部よりトナーを供給することにより静電潜像を可視化してトナー像を形成する。さらに、画像形成装置では、このトナー像を一次的または二次的に用紙に転写させ、該用紙を定着部の定着ニップで加熱、加圧して、用紙にトナー像を定着させる。また、画像形成装置において、用紙に画像を転写させる転写部の上流側には、用紙の幅方向における位置ずれを補正するレジストローラーが設けられる（特許文献１参照）。
【先行技術文献】
【特許文献】
【０００３】
【特許文献１】特開２０１４−１３３６３４号公報
【発明の概要】
【発明が解決しようとする課題】
【０００４】
ところで、画像形成装置では、レジストローラーから二次転写ニップを経て定着ニップに至るまでのアライメントのずれによって、用紙の搬送方向が副走査方向に曲がってしまう現象（副走査曲がり）が発生する問題がある。かかる副走査曲がりは、上記のアライメントのずれの他、耐久等によりローラーの用紙幅方向（副走査方向）における両端の径に差異がある場合にも発生しやすい。また、搬送方向のサイズが長い長尺紙は、上記の影響を受けやすいため、副走査曲がりが顕著に発生する。かかる副走査曲がりは転写部で転写される画像のずれや歪み等による画像不良を引き起こすことから、副走査曲がりを抑制する技術が求められている。
【０００５】
これに対して、特許文献１では、レジストローラーと転写ローラーとの間にラインセンサーが配置され、転写ローラーにより用紙を搬送している最中にラインセンサーで用紙端部位置を検知し、該検知結果に基づいてレジストローラーを動かすレジスト揺動制御の技術が記載されている。しかしながら、特許文献１に記載のレジスト揺動制御では、用紙の搬送方向長さが長くなるほど、レジストローラーの揺動動作を繰り返し行う必要があることから、ラインセンサーの照射時間が長くなり、ラインセンサーの寿命が短くなる問題がある。
【０００６】
本発明の目的は、ラインセンサーの使用を抑えつつ用紙の副走査曲がりを補正することが可能な画像形成装置および搬送制御方法を提供することである。
【課題を解決するための手段】
【０００７】
本発明に係る画像形成装置は、
用紙に画像を転写する転写部と、
用紙搬送方向における前記転写部の上流側に設けられる用紙搬送部材と、
前記用紙を前記用紙搬送方向と直交する幅方向に揺動させるように前記用紙搬送部材の揺動制御を行う制御部と、
を備え、
前記制御部は、
前記用紙の先端が前記転写部に入るまでは、前記用紙の前記幅方向の端部を検出する検出部の検出結果に基づいて前記揺動制御を行う第１制御を実行し、
前記用紙の先端が前記転写部に入ると、前記用紙上の画像の位置が正しくなるような前記用紙搬送部材の揺動態様を規定するプリセット値を用いて前記揺動制御を行う第２制御を、前記第１制御の制御内容に基づいて実行する。
【０００８】
本発明に係る搬送制御方法は、
用紙に画像を転写する転写部と、用紙搬送方向における前記転写部の上流側に設けられる用紙搬送部材と、を備え、前記用紙を前記用紙搬送方向と直交する幅方向に揺動させるように前記用紙搬送部材の揺動制御を行う画像形成装置の搬送制御方法であって、
前記用紙の先端が前記転写部に入るまでは、前記用紙の前記幅方向の端部の検出結果に基づいて前記揺動制御を行う第１制御を実行し、
前記用紙の先端が前記転写部に入ると、前記用紙上の画像の位置が正しくなるような前記用紙搬送部材の揺動態様を規定するプリセット値を用いて前記揺動制御を行う第２制御を、前記第１制御の制御内容に基づいて実行する。
【発明の効果】
【０００９】
本発明によれば、ラインセンサーの使用を抑えつつ用紙の副走査曲がりを補正することができる。
【図面の簡単な説明】
【００１０】
【図１】本実施の形態に係る画像形成装置の全体構成を概略的に示す図である。
【図２】本実施の形態に係る画像形成装置の制御系の主要部を示す図である。
【図３】長尺紙を搬送する場合の従来のレジスト揺動の制御を説明する図であり、図３Ａはレジストローラー対が移動する前の状態を、図３Ｂはレジストローラー対が移動した後の状態を、各々示す。
【図４】本実施の形態のレジスト揺動制御の概要を説明する図である。
【図５】１枚の長尺紙に対してレジスト揺動を複数回行う場合の制御を説明する図である。
【図６】本実施の形態の画像形成装置におけるレジスト揺動に関する搬送制御の一例を示すフローチャートである。
【発明を実施するための形態】
【００１１】
以下、図面を参照して本実施の形態を詳細に説明する。図１は、本実施の形態における画像形成装置１の全体構成を概略的に示す図である。図２は、本実施の形態における画像形成装置１の制御系の主要部を示す。
【００１２】
本実施の形態の画像形成装置１は、用紙Ｓとして長尺紙または非長尺紙を使用し、当該用紙Ｓに画像を形成する。
【００１３】
本実施の形態において、長尺紙は、一般に良く用いられるＡ４サイズ、Ａ３サイズ等の用紙よりも搬送方向の長さが長い枚葉紙であり、機内の給紙トレイユニット５１ａ〜５１ｃに収容できない長さを有する。以下、単に「用紙」という場合、長尺紙および非長尺紙の両方が含まれ得る。
【００１４】
画像形成装置１は、電子写真プロセス技術を利用した中間転写方式のカラー画像形成装置である。すなわち、画像形成装置１は、感光体ドラム４１３上に形成されたＹ（イエロー）、Ｍ（マゼンタ）、Ｃ（シアン）、Ｋ（ブラック）の各色トナー像を中間転写ベルト４２１に一次転写し、中間転写ベルト４２１上で４色のトナー像を重ね合わせた後、用紙に二次転写することにより、トナー像を形成する。
【００１５】
また、画像形成装置１には、ＹＭＣＫの４色に対応する感光体ドラム４１３を中間転写ベルト４２１の走行方向に直列配置し、中間転写ベルト４２１に一回の手順で各色トナー像を順次転写させるタンデム方式が採用されている。
【００１６】
図２に示すように、画像形成装置１は、画像読取部１０、操作表示部２０、画像処理部３０、画像形成部４０、用紙搬送部５０、定着部６０、および制御部１００等を備える。
【００１７】
制御部１００は、ＣＰＵ（Central  Processing  Unit）１０１、ＲＯＭ（Read  Only  Memory）１０２、ＲＡＭ（Random  Access  Memory）１０３等を備える。ＣＰＵ１０１は、ＲＯＭ１０２から処理内容に応じたプログラムを読み出してＲＡＭ１０３に展開し、展開したプログラムと協働して画像形成装置１の各ブロックの動作を集中制御する。このとき、記憶部７２に格納されている各種データが参照される。記憶部７２は、例えば不揮発性の半導体メモリ（いわゆるフラッシュメモリ）やハードディスクドライブで構成される。
【００１８】
制御部１００は、通信部７１を介して、ＬＡＮ（Local Area Network）、ＷＡＮ（Wide Area Network）等の通信ネットワークに接続された外部の装置（例えばパーソナルコンピューター）との間で各種データの送受信を行う。制御部１００は、例えば、外部の装置から送信された画像データを受信し、この画像データ（入力画像データ）に基づいて用紙にトナー像を形成させる。通信部７１は、例えばＬＡＮカード等の通信制御カードで構成される。
【００１９】
画像読取部１０は、ＡＤＦ（Auto  Document  Feeder）と称される自動原稿給紙装置１１および原稿画像走査装置１２（スキャナー）等を備えて構成される。
【００２０】
自動原稿給紙装置１１は、原稿トレイに載置された原稿Ｄを搬送機構により搬送して原稿画像走査装置１２へ送り出す。自動原稿給紙装置１１は、原稿トレイに載置された多数枚の原稿Ｄの画像（両面を含む）を連続して一挙に読み取ることができる。
【００２１】
原稿画像走査装置１２は、自動原稿給紙装置１１からコンタクトガラス上に搬送された原稿またはコンタクトガラス上に載置された原稿を光学的に走査し、原稿からの反射光をＣＣＤ（Charge Coupled Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００２２】
操作表示部２０は、例えばタッチパネル付の液晶ディスプレイ（ＬＣＤ：Liquid Crystal Display）で構成され、表示部２１および操作部２２として機能する。表示部２１は、制御部１００から入力される表示制御信号に従って、各種操作画面、画像の状態表示、各機能の動作状況等の表示を行う。操作部２２は、テンキー、スタートキー等の各種操作キーを備え、ユーザーによる各種入力操作を受け付けて、操作信号を制御部１００に出力する。
【００２３】
画像処理部３０は、入力画像データに対して、初期設定またはユーザー設定に応じたデジタル画像処理を行う回路等を備える。例えば、画像処理部３０は、制御部１００の制御下で、記憶部７２内の階調補正データ（階調補正テーブルＬＵＴ）に基づいて階調補正を行う。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２４】
画像形成部４０は、入力画像データに基づいて、Ｙ成分、Ｍ成分、Ｃ成分、Ｋ成分の各有色トナーによる画像を形成するための画像形成ユニット４１Ｙ、４１Ｍ、４１Ｃ、４１Ｋ、中間転写ユニット４２等を備える。
【００２５】
Ｙ成分、Ｍ成分、Ｃ成分、Ｋ成分用の画像形成ユニット４１Ｙ、４１Ｍ、４１Ｃ、４１Ｋは、同様の構成を有する。図示及び説明の便宜上、共通する構成要素は同一の符号で示し、それぞれを区別する場合には符号にＹ、Ｍ、Ｃ、又はＫを添えて示す。図１では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００２６】
画像形成ユニット４１は、露光装置４１１、現像装置４１２、感光体ドラム４１３、帯電装置４１４、およびドラムクリーニング装置４１５等を備える。
【００２７】
感光体ドラム４１３は、例えばアルミニウム製の導電性円筒体（アルミ素管）の周面に、アンダーコート層（ＵＣＬ：Under Coat Layer）、電荷発生層（ＣＧＬ：Charge Generation Layer）、電荷輸送層（ＣＴＬ：Charge Transport Layer）を順次積層した負帯電型の有機感光体（ＯＰＣ：Organic Photo-conductor）である。電荷発生層は、電荷発生材料（例えばフタロシアニン顔料）を樹脂バインダー（例えばポリカーボネイト）に分散させた有機半導体からなり、露光装置４１１による露光により一対の正電荷と負電荷を発生する。電荷輸送層は、正孔輸送性材料（電子供与性含窒素化合物）を樹脂バインダー（例えばポリカーボネイト樹脂）に分散させたものからなり、電荷発生層で発生した正電荷を電荷輸送層の表面まで輸送する。
【００２８】
制御部１００は、感光体ドラム４１３を回転させる駆動モーター（図示略）に供給される駆動電流を制御することにより、感光体ドラム４１３を一定の周速度（線速度）で回転させる。
【００２９】
帯電装置４１４は、光導電性を有する感光体ドラム４１３の表面を一様に負極性に帯電させる。露光装置４１１は、例えば半導体レーザーで構成され、感光体ドラム４１３に対して各色成分の画像に対応するレーザー光を照射する。これにより、感光体ドラム４１３の表面には、周囲との電位差により各色成分の静電潜像が形成される。
【００３０】
現像装置４１２は、例えば二成分現像方式の現像装置であり、感光体ドラム４１３の表面に各色成分のトナーを付着させることにより静電潜像を可視化してトナー像を形成する。
【００３１】
ドラムクリーニング装置４１５は、感光体ドラム４１３の表面に摺接されるクリーニング部材等を有する。ドラムクリーニング装置４１５は、一次転写後に感光体ドラム４１３の表面に残存する転写残トナーをクリーニングブレードによって除去する。
【００３２】
中間転写ユニット４２は、中間転写ベルト４２１、一次転写ローラー４２２、複数の支持ローラー４２３、二次転写ローラー４２４、及びベルトクリーニング装置４２６等を備える。
【００３３】
中間転写ベルト４２１は、無端状ベルトで構成され、複数の支持ローラー４２３にループ状に張架される。複数の支持ローラー４２３のうちの少なくとも１つは駆動ローラーで構成され、その他は従動ローラーで構成される。例えば、Ｋ成分用の一次転写ローラー４２２よりもベルト走行方向下流側に配置されるローラー４２３Ａが駆動ローラーであることが好ましい。これにより、一次転写部におけるベルトの走行速度を一定に保持しやすくなる。駆動ローラー４２３Ａが回転することにより、中間転写ベルト４２１は矢印Ａ方向に一定速度で走行する。
【００３４】
一次転写ローラー４２２は、各色成分の感光体ドラム４１３に対向して、中間転写ベルト４２１の内周面側に配置される。中間転写ベルト４２１を挟んで、一次転写ローラー４２２が感光体ドラム４１３に圧接されることにより、感光体ドラム４１３から中間転写ベルト４２１へトナー像を転写するための一次転写ニップが形成される。
【００３５】
二次転写ローラー４２４は、駆動ローラー４２３Ａのベルト走行方向下流側に配置されるバックアップローラー４２３Ｂに対向して、中間転写ベルト４２１の外周面側に配置される。中間転写ベルト４２１を挟んで、二次転写ローラー４２４がバックアップローラー４２３Ｂに圧接されることにより、中間転写ベルト４２１から用紙Ｓへトナー像を転写するための二次転写ニップが形成される。
【００３６】
中間転写ベルト４２１、バックアップローラー４２３Ｂおよび二次転写ローラー４２４により形成される二次転写ニップは、本発明の「転写部」に対応する。
【００３７】
一次転写ニップを中間転写ベルト４２１が通過する際、感光体ドラム４１３上のトナー像が中間転写ベルト４２１に順次重ねて一次転写される。具体的には、一次転写ローラー４２２に一次転写バイアスを印加し、中間転写ベルト４２１の一次転写ローラー４２２と当接する側にトナーと逆極性の電荷を付与することにより、トナー像は中間転写ベルト４２１に静電的に転写される。
【００３８】
その後、用紙が二次転写ニップを通過する際、中間転写ベルト４２１上のトナー像が用紙に二次転写される。具体的には、二次転写ローラー４２４に二次転写バイアスを印加し、用紙の二次転写ローラー４２４と当接する側にトナーと逆極性の電荷を付与することにより、トナー像は用紙に静電的に転写される。トナー像が転写された用紙は定着部６０に向けて搬送される。
【００３９】
ベルトクリーニング装置４２６は、中間転写ベルト４２１の表面に摺接するベルトクリーニングブレード等を有し、二次転写後に中間転写ベルト４２１の表面に残留する転写残トナーを除去する。
【００４０】
定着部６０は、用紙の定着面側に配置される定着面側部材を有する上側定着部６０Ａ、用紙の定着面の反対の面側に配置される裏面側支持部材を有する下側定着部６０Ｂ、及び加熱源６０Ｃ等を備える。定着面側部材に裏面側支持部材が圧接されることにより、用紙を狭持して搬送する定着ニップが形成される。
【００４１】
定着部６０は、トナー像が二次転写され、搬送されてきた用紙を定着ニップで加熱、加圧することにより、用紙にトナー像を定着させる。定着部６０は、定着器Ｆ内にユニットとして配置される。
【００４２】
用紙搬送部５０は、給紙部５１、排紙部５２および搬送経路部５３等を備える。給紙部５１を構成する３つの給紙トレイユニット５１ａ〜５１ｃには、坪量（剛度）やサイズ等に基づいて識別された用紙Ｓ（規格用紙、特殊用紙）が予め設定された種類ごとに収容される。搬送経路部５３は、レジストローラー対５３ａ等の複数の搬送ローラー、用紙の両面に画像形成するための両面搬送経路等を有する。レジストローラー対５３ａは、本発明の「用紙搬送部材」に対応する。
【００４３】
レジストローラー対５３ａは、制御部１００の制御の下、用紙Ｓの幅方向における位置を補正する。具体的には、レジストローラー対５３ａに用紙Ｓが挟持されると、レジストローラー対５３ａが幅方向に移動して用紙Ｓを移動させるレジスト揺動の制御が行われることにより、用紙Ｓの幅方向における位置が補正される。かかるレジスト揺動の制御内容については後述する。
【００４４】
レジストローラー対５３ａは、用紙Ｓの幅方向における位置を補正した後、当該用紙Ｓがレジストローラー対５３ａを通過し終わる前、すなわち用紙Ｓの搬送途中で離間して、移動する前の位置に戻される。そして、レジストローラー対５３ａは、用紙Ｓの後端が通過した後、再度圧着される。
【００４５】
また、レジストローラー対５３ａにおける用紙Ｓの搬送速度は、制御部１００の制御の下、バックアップローラー４２３Ｂと二次転写ローラー４２４とにより形成される二次転写ニップにおける用紙Ｓの搬送速度よりも速く設定される。
【００４６】
用紙搬送方向におけるレジストローラー対５３ａの下流側で二次転写ニップの上流側には、ラインセンサー５４が配置されている。ラインセンサー５４は、光電変換素子をライン状に配置したセンサーであり、用紙Ｓの幅方向の一方の端部（以下、側端という）を検出して、用紙の片寄り（基準位置からのずれ）を検知する役割を担う。
【００４７】
給紙トレイユニット５１ａ〜５１ｃに収容されている用紙Ｓは、最上部から一枚ずつ送出され、搬送経路部５３により画像形成部４０に搬送される。このとき、レジストローラー対５３ａにより、給紙された用紙Ｓの傾きが補正されるとともに搬送タイミングが調整される。
【００４８】
そして、画像形成部４０において、中間転写ベルト４２１のトナー像が用紙Ｓの一方の面に一括して二次転写され、定着部６０において定着工程が施される。画像形成された用紙Ｓは、排紙ローラー５２ａを備えた排紙部５２により機外に排紙される。なお、両面印刷時には、第一面への画像形成が行われた用紙Ｓは、両面搬送経路を通って表裏が反転された後、第二面にトナー像が二次転写および定着された後、排紙部５２により機外に排紙される。
【００４９】
ところで、画像形成装置では、レジストローラーから二次転写ニップを経て定着ニップに至るまでのアライメントのずれによって、用紙の搬送方向が副走査方向に曲がってしまう現象（副走査曲がり）が発生する問題がある。かかる副走査曲がりは、上記のアライメントのずれの他、耐久等によりローラーの用紙幅方向（副走査方向）における両端の径に差異がある場合にも発生しやすい。また、搬送方向のサイズが長い長尺紙は、上記の影響を受けやすいため、副走査曲がりが顕著に発生する。かかる副走査曲がりは二次転写ニップで転写される画像のずれや歪み等による画像不良を引き起こすことから、副走査曲がりを抑制する技術が求められている。
【００５０】
かかる問題に対して、従来は、ラインセンサー５４の読み値を用いて、すなわち該センサー５４で検知される用紙の幅方向端部位置を監視しながらレジストローラー対５３ａを揺動動作させ、リアルタイムで副走査曲がりを矯正する制御を行うものもある。かかる従来のレジスト揺動制御について、図３を参照して説明する。
【００５１】
図３は、用紙Ｓとして長尺紙を搬送する場合の従来のレジスト揺動の制御を説明する図であり、用紙の搬送方向を矢印Ｙで、ラインセンサー５４で検知される用紙の基準端の位置を点線で、レジストローラー対５３ａの揺動方向を矢印Ｘで、各々示す。
【００５２】
図３Ａは、転写ニップを形成するバックアップローラー４２３Ｂに用紙Ｓ（長尺紙）の先端が突入した後に用紙Ｓの後端側が左側に曲がった例を示している。この場合、制御部１００は、用紙Ｓの曲がった方向および量をラインセンサー５４の出力信号から検知し、かかる検知結果から、レジストローラー対５３ａの揺動方向および量を算出する。そして、制御部１００は、かかる算出値に従って、図３Ｂに示すように、レジストローラー対５３ａを用紙搬送方向Ｙと直交するＸ方向に揺動させる制御を行う。
【００５３】
しかしながら、かかる従来のレジスト揺動制御によれば、用紙Ｓの搬送方向長さが長くなるほど、二次転写ニップ突入後におけるレジストローラー対５３ａの揺動動作を繰り返し行う必要があることから（図３Ｂ参照）、ラインセンサー５４の照射時間が長くなり、ラインセンサー５４の寿命が短くなる問題がある。
【００５４】
他方、副走査曲がりは、上述のように、アライメントや各ローラーの前奥差など、各々の機械における個体差によって、曲がり方や曲がり量が変わってくるが、画像形成装置１を部屋等に設置した後は、大きく崩れることは無く、各々の機械において一定の曲がり方や曲がり量になる。本発明者らは、かかる知見に基づいて種々の実験を行った結果、副走査曲がりの矯正を行うために、随時ラインセンサー５４による検知を行う必要は無く、予め定められた固定値（プリセット値）でレジストローラー対５３ａを揺動させることで、良好な効果が得られることを見出した。
【００５５】
その一方、固定値によるレジスト揺動は、基本的に、用紙Ｓの副走査曲がりが一定になることを前提とするものであり、実際の用紙搬送では、若干の搬送バラツキが生じる場合があり、固定値だけのレジスト揺動制御では、かかる搬送バラツキにまで対応することは容易でないと考えられる。
【００５６】
そこで、本実施の形態では、制御部１００は、用紙Ｓの先端が二次転写ニップ（転写部）に入るまでは、用紙Ｓの側端を検出するラインセンサー５４の検出結果に基づいて揺動制御を行う第１のレジスト揺動制御（第１制御）を実行する。そして、制御部１００は、用紙Ｓの先端が二次転写ニップに入ると、用紙Ｓ上の画像の位置が正しくなるようなレジストローラー対５３ａの揺動態様を規定するプリセット値を用いて揺動制御を行う第２のレジスト揺動制御（第２制御）を、第１制御の制御内容に基づいて実行する。
【００５７】
また、本実施の形態では、制御部１００は、上記の第１制御において揺動させたレジストローラー対５３ａの揺動量及び揺動方向に応じて、プリセット値を補正する処理を行う。かかる補正処理の内容は後述する。
【００５８】
本実施の形態では、上記のような２段階のレジスト揺動制御を実行することにより、ラインセンサー５４の使用を抑えつつ、レジスト揺動制御をより高精度に実行して、長尺紙などの用紙Ｓを、より直線的に搬送することが可能になる。
【００５９】
本実施の形態における第１のレジスト揺動制御（第１制御）は、図３で上述した制御内容と基本的に同様である。したがって、まず、本実施の形態における第２のレジスト揺動制御（第２制御）およびプリセット値の概要について説明する。
【００６０】
第２のレジスト揺動制御では、制御部１００は、ラインセンサー５４によってリアルタイムで検知された値を使用せず、用紙Ｓ上の画像の位置が正しくなるようなレジストローラー対５３ａの揺動態様を規定するプリセット値を用いて、レジスト揺動制御を行う。すなわち、制御部１００は、上記のプリセット値を用いて、用紙Ｓを用紙搬送方向と直交する幅方向に揺動させるように、レジストローラー対５３ａを制御する。
【００６１】
ここで、プリセット値は、用紙Ｓの先端が二次転写ニップに突入された後から当該用紙Ｓの後端がレジストローラー対５３ａ（以下、レジストニップとも言う。）を抜けるまでの、レジストローラー対５３ａの揺動動作の内容を設定するための値である。
【００６２】
また、プリセット値は、揺動量、すなわちレジストローラー対５３ａの用紙幅方向への移動量を示す値が含まれる。かかる値は、移動の方向により、例えば、右方向の移動は正値、左方向の移動は負値で示される。
【００６３】
また、プリセット値は、二次転写ニップへの用紙Ｓの突入開始後においてレジストローラー対５３ａが用紙幅方向に移動するタイミング（揺動タイミング）を示す値が含まれる。かかる揺動タイミングは、一枚の用紙Ｓに対して複数設定されることができる。一枚の用紙Ｓに対して揺動タイミングが複数設定される場合、各タイミング間のインターバルは任意に設定されることができる。ここで、揺動タイミングは、レジストローラー対５３ａが幅方向への移動を行う時期（時間）を示す値であり、言い換えると、レジストローラー対５３ａが幅方向に移動する際の、レジストニップにより搬送された用紙Ｓ上の先端からの距離を表す値である。
【００６４】
そして、プリセット値は、揺動タイミングの各々におけるレジストローラー対５３ａの用紙幅方向における移動量を示す値が含まれる。ここで便宜のため、揺動タイミングを揺動ポイントと言い換えると、かかるプリセット値によれば、用紙Ｓが二次転写ニップに突入された後にレジストローラー対５３ａを揺動させるＮ個（Ｎ＝１以上）の揺動ポイント（図３中のＹ方向の位置）が設定され、各揺動ポイント毎に移動の方向および移動量が規定される。
【００６５】
すなわち、プリセット値は、用紙Ｓが二次転写ニップに突入した後の揺動ポイント（Ｙ方向への搬送距離）毎の、レジストローラー対５３ａの用紙幅方向（Ｘ方向）への移動量を規定する。
【００６６】
本実施の形態では、プリセット値をこのような構成とすることにより、用紙Ｓの各揺動ポイントにおけるレジストローラー対５３ａの移動量を可変とすることができ、用紙Ｓの先端側と後端側とでレジストローラー対５３ａの移動量を変えることができる。
【００６７】
ここで、用紙Ｓが長尺紙の場合、用紙先端が二次転写ニップに突入された後も用紙後端が給紙部（手差し給紙トレイなど）に残っている場合がある。このような場合、搬送経路部５３のアライメントずれによって用紙が曲がりやすいという問題がある。したがって、長尺紙に対するレジスト揺動制御では、二次転写ニップに突入された後の揺動動作が重要となる。
【００６８】
このため、長尺紙の先端が二次転写ニップに突入された後におけるレジストローラー対５３ａの動作内容（揺動態様）をプリセット値に規定しておく。この場合、長尺紙の先端が二次転写ニップに突入された後のレジストローラー対５３ａの揺動動作を固定値で実施することで、用紙搬送方向におけるずれ量を補正することができ、長尺紙の長さ方向の形状を矯正して、長尺紙を直線的に搬送することができるようになる。
【００６９】
また、一般に、用紙Ｓは、その搬送方向長さが長くなるほど、画像形成装置１の各ユニットのアライメントの影響が大きくなり、後端側のずれが大きくなる。したがって、このような場合、用紙Ｓの先端側の揺動ポイントではレジストローラー対５３ａの移動量を比較的小さくし（例えば１ｍｍ）、用紙Ｓの後端側の揺動ポイントではレジストローラー対５３ａの移動量を相対的に大きくする（例えば３ｍｍとする）ようにプリセット値を設定することにより、直線的な紙送りを実現することができる。
【００７０】
さらに、プリセット値は、各揺動ポイントにおいて、レジストローラー対５３ａを移動させる移動速度を示す値が含まれ得る。この移動速度の値は、等速とされることができ、または加減速度を有することもできる。
【００７１】
本実施の形態では、このようにレジストローラー対５３ａの揺動態様を示す種々の値がプリセット値（固定値）に含まれる。また、後述のように、レジストローラー対５３ａの適切な揺動態様は、用紙Ｓの種類などの画像形成条件によって異なるものとなる。これらを考慮すると、プリセット値は、１または複数のテーブルに登録し、かかるテーブルに登録された各値を制御部１００が適宜読み出してレジスト揺動の制御を行うことが好ましい。プリセット値が登録されるテーブルのさらなる構成については後述する。
【００７２】
次に、プリセット値の補正処理について説明する。
【００７３】
上記のように、制御部１００は、上述した第１制御において揺動させたレジストローラー対５３ａの揺動量及び揺動方向に応じて、プリセット値を補正する。具体的には、制御部１００は、第１制御における揺動、すなわち用紙Ｓの先端が二次転写ニップに入る前に揺動させたレジストローラー対５３ａの揺動量及び揺動方向を反映させるように、プリセット値を補正する。かかる補正にあたり、制御部１００は、第１制御における揺動量をそのままプリセット値に反映させてもよいし、第１制御における揺動量に予め定められた係数を掛けた値をプリセット値に反映させてもよい。したがって、補正後のプリセット値で規定されるレジストローラー対５３ａの揺動量は、第１制御において揺動させたレジストローラー対５３ａの揺動量と比較して、等しくなる場合、多くなる場合、少なくなる場合のいずれもあり得る。また、補正後のプリセット値で規定されるレジストローラー対５３ａの揺動量は、補正前のプリセット値で規定されるレジストローラー対５３ａの揺動量と比較して、多くなる場合、少なくなる場合、変わらない場合、のいずれもあり得る。
【００７４】
また、制御部１００は、上述した第１制御におけるレジストローラー対５３ａの揺動動作内容を、搬送方向に沿った用紙Ｓの位置に応じて、第２制御におけるレジストローラー対５３ａの揺動動作内容に反映させるように、プリセット値を補正する。
【００７５】
具体的には、プリセット値によって設定された用紙Ｓ上の揺動ポイントが複数ある場合、制御部１００は、各々の揺動ポイントに対して補正処理を実行する。かかる補正にあたり、制御部１００は、第１制御における揺動量をプリセット値の各揺動ポイントにそのまま反映させてもよいし、第１制御における揺動量に予め定められた係数を掛けた値を、プリセット値の各揺動ポイントに反映させてもよい。ここで、予め定められた係数は、各揺動ポイント毎に異なる値とすることができ、例えば、用紙後端側になるほど揺動量が大きくなるような値とする、またはこの逆の値とする、あるいは用紙の搬送方向の中程で揺動量が大（または小）となる値とすることができる。
【００７６】
したがって、補正後のプリセット値で規定されるレジストローラー対５３ａの各揺動ポイントにおける揺動量は、補正前と比較して、多くなる場合、少なくなる場合、変わらない場合、一部の揺動ポイントにおいて多くなる（または少なくなる）など、種々の場合があり得る。
【００７７】
また、制御部１００は、ラインセンサー５４における用紙Ｓの側端部の検出結果によっては、上述した第１制御においてレジストローラー対５３ａを複数回揺動させる場合、言い換えると用紙Ｓの搬送方向先端側で複数の揺動ポイントが発生する場合があり得る。この場合、制御部１００は、かかるラインセンサー５４の検出結果に基づいて、用紙Ｓの傾き量を特定し、該傾き量に応じてプリセット値を補正する。かかる処理のより具体的な内容は後述する。
【００７８】
次に、本実施の形態のレジスト揺動制御（第１制御および第２制御）をより詳しく説明する。
【００７９】
本実施の形態における第１のレジスト揺動制御（第１制御）の処理、すなわち、用紙Ｓの先端が二次転写ニップに突入するまでの処理は、従来と同様の制御手法を用いる。すなわち、画像形成装置１において、印刷（プリント）ジョブが開始すると、用紙Ｓを二次転写ニップに向けて搬送し、用紙Ｓがラインセンサー５４を通過する際に、該用紙Ｓの側端部の位置がラインセンサー５４によって検知される。このとき、制御部１００は、かかる検知結果からレジストローラー対５３ａ（以下、「揺動ローラー」とも言う。）の移動量を算出し、かかる算出結果に従って揺動ローラーを用紙幅方向に移動させる第１制御を行う。
【００８０】
他方、本実施の形態では、第１制御の揺動動作内容を反映させるように第２制御を行うため、制御部１００は、第１制御の実行中、すなわち用紙Ｓの先端が二次転写ニップに突入するまでの間に、プリセット値に反映させる値（補正値）を特定ないし算出する。なお、制御部１００は、用紙Ｓの先端が二次転写ニップに突入するまでの間に、上述したプリセット値の補正処理（すなわちプリセット値の更新）を行ってもよい。
【００８１】
これに対して、第２のレジスト揺動制御（第２制御）では、印刷（プリント）ジョブの開始に際し、制御部１００は、プリセット値（予め定められた固定値）を読み出し、かかるプリセット値（固定値）を上述のように補正し、補正されたプリセット値により、揺動ローラーの動作内容（すなわち移動の量、タイミング、速度など）を設定する（図４参照）。かかるプリセット値（固定値）の読み出しと補正、揺動ローラーの動作内容の設定は、用紙Ｓが二次転写ニップに突入するまでの時期に行うことができる。
【００８２】
そして、制御部１００は、用紙Ｓの先端が二次転写ニップに突入した後に、設定された内容で揺動ローラーを用紙Ｓの搬送方向と直交する幅方向に移動させるように制御を行う。
【００８３】
次に、１枚の長尺紙に対してレジスト揺動を複数回行う場合の本実施の形態の制御内容を説明する。
【００８４】
本実施の形態における第１制御では、制御部１００は、ラインセンサー５４の検出結果に応じて、用紙Ｓの先端が二次転写ニップに突入するまでの間に、揺動ローラーを２回、すなわち用紙Ｓの搬送方向に沿った２箇所で揺動させることができる。
【００８５】
具体的には、制御部１００は、例えば用紙Ｓの先端がレジストニップに突入してラインセンサー５４を通過する際に、用紙Ｓの側端部が基準位置（図３の点線参照）からずれている場合、ラインセンサー５４の検出値を一時記憶するとともに１回目のレジスト揺動制御を行う。続いて、制御部１００は、用紙Ｓの先端が二次転写ニップに突入するまでの間に用紙Ｓの側端部が基準位置からずれた場合、２回目のレジスト揺動制御を行う。ここで、制御は、２回目のレジスト揺動制御を行う場合のラインセンサー５４の検出値と、一時記憶された検出値との差異（基準位置からのずれ量の差異）から、用紙Ｓの傾き量を算出する。そして、制御部１００は、該算出された用紙Ｓの傾き量に基づいて、プリセット値を補正するための補正値を算出する。
【００８６】
このように、本実施の形態では、用紙Ｓの先端が二次転写ニップに入るまではラインセンサー５４を用いた第１のレジスト揺動制御を行うことで、用紙Ｓの先端側における搬送バラツキに対応した用紙Ｓの側端の位置合わせを行うことが可能となる。他方、用紙Ｓの先端が二次転写ニップに入った後は、固定値を用いた第２のレジスト揺動制御を行うことから、ラインセンサー５４の使用を抑えることができる。
【００８７】
本実施の形態における第２のレジスト揺動制御（第２制御）の処理、すなわち用紙Ｓの先端が二次転写ニップに突入した後の処理に関しては、図５に示すような処理の流れとなる。
【００８８】
すなわち、印刷（プリント）ジョブが開始すると、制御部１００は、用紙Ｓの複数の揺動ポイントについてのプリセット値（予め定められた固定値）を読み出す。その後、制御部１００は、第１制御によるレジスト揺動の結果に基づいて算出された補正値をプリセット値に適用して、揺動ローラーの複数回（Ｎ回）分の揺動量、揺動するタイミング、揺動の速度等を、各々設定する。
【００８９】
なお、プリセット値の読み出しおよび補正、補正後のプリセット値に基づく揺動動作の設定は、１回目の揺動については長尺紙が二次転写ニップに突入するまでの任意の時期に行うことができ、２回目からＮ回目までの揺動については当該揺動制御が開始されるまでの任意の時期に行うことができる。そして、制御部１００は、長尺紙の先端が二次転写ニップに突入すると、１回目の揺動について設定された内容で揺動ローラーを用紙Ｓの搬送方向と直交する幅方向に移動させるように制御し、２回目からＮ回目までの揺動についても、各々設定された内容で揺動ローラーを用紙Ｓの搬送方向と直交する幅方向に移動させるように制御する。
【００９０】
このように、第１制御の制御内容を反映させたプリセット値を用いてレジスト揺動を行う第２制御によれば、用紙Ｓの副走査曲がりを、より正確に矯正することが可能となる。すなわち、本実施の形態では、ラインセンサー５４の検出結果によって得られた用紙Ｓの側端のずれの情報をレジスト揺動制御の補正値（すなわち揺動の目標値）としてプリセット値にフィードバックすることによって、搬送バラツキに対応した、より高精度のレジスト揺動制御を行うことができる。
【００９１】
また、本実施の形態によれば、第２のレジスト揺動制御（第２制御）においてラインセンサー５４を使用せずにレジスト揺動を行えることから、用紙Ｓ、特に長尺紙の１枚当たりのラインセンサー５４の使用時間が大幅に減少する。
【００９２】
また、本実施の形態によれば、用紙Ｓが二次転写ニップに突入される前には、ラインセンサー５４の検知結果に基づいてレジスト揺動が行われることから、用紙Ｓの先端側における側端の位置合わせを高精度に行うことができ、レジスト揺動の精度を担保することができる。
【００９３】
さらに、本実施の形態の画像形成装置１では、両面印刷のジョブ実行時であっても、用紙Ｓにおける同一側面部が基準位置（図３の点線参照）に設定されるため、個々の用紙Ｓにおける外形のバラつき、曲がりやうねり等の個体差の影響が抑制される。
【００９４】
以下、プリセット値が登録されるテーブルに関して、より詳しく説明する。
【００９５】
上述のように、プリセット値は、用紙Ｓの幅方向の位置が転写ニップにより転写される画像に合うようなレジストローラー対５３ａの揺動態様すなわち、揺動の量、タイミング、速度などの動作内容を規定するものである。
【００９６】
他方、用紙Ｓの幅方向の位置が転写ニップにより転写される画像に合うレジストローラー対５３ａの好ましい動作内容は、用紙Ｓの種類（例えば、長さ、幅、表面の光沢度、坪量（剛度）、など）によって異なって来るものと考えられる。
【００９７】
例えば、一般に、用紙Ｓの搬送方向の長さが長いほど、レジストローラー対５３ａを揺動させる回数（図５で上述したＮの数）を増やす必要がある。また、ローラー径の前奥差が大きい場合、用紙Ｓの幅が大きいものほど、かかる径差による影響が大きいものと考えられる。また、用紙Ｓの光沢度の高いものと低いものとでは、ローラー対で挟まれながら搬送される際の滑りやすさが異なる（前者の方が滑りやすい）ため、同一サイズの用紙であっても、揺動の量や速度などを変える必要があり得る。用紙Ｓの坪量（剛度）が異なる場合も同様であり、この問題点については後述する。
【００９８】
したがって、テーブルは、プリセット値が用紙Ｓの種類（長さ、幅、表面の光沢度、坪量、など）毎に登録されるテーブル構造とする。この場合、制御部１００は、印刷ジョブの実行に際し、用紙Ｓの種類や使用する給紙トレイユニット（５１ａ〜５１ｃ）を定めたユーザー設定情報から、搬送する用紙Ｓの種類を特定し、該特定された用紙Ｓの種類に対応するプリセット値をテーブルから読み出して、上述した第２のレジスト揺動の制御を行う。
【００９９】
また、用紙Ｓの種類は上記のように多岐に亘るため、プリセット値が登録されるテーブルは、紙種に応じて設ける、すなわち上述した用紙Ｓの種類毎に設けるとよい。この場合、制御部１００は、印刷ジョブの実行に際し、上記ユーザー設定情報から搬送する用紙Ｓの種類を特定し、該特定された用紙Ｓの種類に対応するテーブルに登録されたプリセット値を読み出して、上述した第２のレジスト揺動の制御を行う。また、上述のようにプリセット値が補正、更新される場合、制御部１００は、当該用紙Ｓの種類に応じて設けられたテーブルに登録されたプリセット値を補正し、当該テーブルを更新する。
【０１００】
また、上述のように、異なる給紙トレイユニット５１ａ〜５１ｃには異なる種類の用紙Ｓが収容され、他方、用紙Ｓが長尺紙の場合には手差し給紙トレイから給紙される。したがって、テーブルは、プリセット値が給紙トレイ毎に登録される構成としてもよい。同様に、プリセット値が登録されるテーブルは、給紙トレイ毎に設けられることができる。
【０１０１】
この場合、制御部１００は、印刷ジョブの実行に際し、上述のユーザー設定情報から使用する給紙トレイを特定し、該特定された給紙トレイに対応するプリセット値を、対応するテーブルから読み出して、上述した第２のレジスト揺動の制御を行う。また、上述のようにプリセット値が補正、更新される場合、制御部１００は、当該用紙Ｓについて使用された給紙トレイに対応するテーブルに登録されたプリセット値を補正し、当該テーブルを更新する。
【０１０２】
また、同一種類の用紙Ｓであっても、画像形成装置１の設置環境、典型的には温湿度条件が異なれば、実際に発生する画像位置ずれの態様（ずれ量やずれる方向など）が異なることが考えられる。言い換えると、用紙Ｓの幅方向の位置が転写ニップにより転写される画像に合うレジストローラー対５３ａの好ましい動作内容は、温度および湿度によって異なるものと考えられる。このため、テーブルは、プリセット値が画像形成装置１の周囲の温湿度に応じて登録される構成としてもよい。同様に、プリセット値が登録されるテーブルは、画像形成装置１の周囲の温湿度に応じて設けられること、例えば温湿度の数値範囲毎に設けられることができる。
【０１０３】
この場合、制御部１００は、印刷ジョブの実行に際し、図示しない機内の温湿度センサーの検出値から温度および湿度を特定し、該特定された温度および湿度に対応するプリセット値を対応するテーブルから読み出して、上述した第２のレジスト揺動の制御を行う。また、上述のようにプリセット値が補正、更新される場合、制御部１００は、当該用紙Ｓの印刷時の温度および湿度に応じて設けられたテーブルに登録されたプリセット値を補正し、当該テーブルを更新する。
【０１０４】
また、同一種類の用紙Ｓであっても、両面が白紙の状態の用紙Ｓ（すなわち用紙Ｓの表面に画像形成する場合）と、既に片面に画像が形成されている用紙Ｓ（すなわち用紙Ｓの裏面に画像形成する場合）とでは、実際に発生する画像位置ずれの態様（ずれ量やずれる方向など）が異なることが考えられる。言い換えると、用紙Ｓの幅方向の位置が転写ニップにより転写される画像に合うレジストローラー対５３ａの好ましい動作内容は、用紙Ｓの第１面目（表面）と第２面目（裏面）とでは異なるものと考えられる。
【０１０５】
このため、テーブルは、プリセット値が用紙Ｓの表面用と裏面用に各々登録されるテーブル構成としてもよい。また、プリセット値が登録されるテーブルは、用紙Ｓの表裏に応じて設けられる、すなわち用紙Ｓの表面用と裏面用とで各々設けられる構成としてもよい。
【０１０６】
この場合、制御部１００は、両面印刷のジョブを実行するに際し、用紙Ｓの表面の印刷を行う際に、対応するテーブルから表面用のプリセット値を読み出して上述した第２のレジスト揺動の制御を行う。また、制御部１００は、用紙Ｓの裏面の印刷を行う際に、対応するテーブルから裏面用のプリセット値を読み出して、上述した第２のレジスト揺動の制御を行う。また、上述のようにプリセット値が補正、更新される場合、制御部１００は、当該用紙Ｓの印刷時の表裏面に応じて設けられたテーブルに登録されたプリセット値（すなわち表面用または裏面用のいずれか一方）を補正し、当該テーブルを更新する。
【０１０７】
また、同一種類の用紙Ｓであっても、カバレッジが高い場合と低い場合とでは、実際に発生する画像位置ずれの態様（ずれ量やずれる方向など）が異なることが考えられる。言い換えると、用紙Ｓの幅方向の位置が転写ニップにより転写される画像に合うレジストローラー対５３ａの好ましい動作内容は、カバレッジすなわち用紙Ｓに形成される画像の印字率によって異なるものと考えられる。
【０１０８】
このため、テーブルは、プリセット値が用紙Ｓに形成する画像のカバレッジに応じて登録される構成としてもよい。同様に、プリセット値が登録されるテーブルは、用紙Ｓに形成する画像のカバレッジに応じて設けられること、例えばカバレッジの数値範囲毎にテーブルを設けることとしてもよい。一例として、カバレッジ１００％〜８０％、カバレッジ７９％〜６０％、カバレッジ５９％〜４０％、カバレッジ３９％〜２０％、カバレッジ１９％〜０％による２０％単位で、各々異なったプリセット値を登録するテーブルを設ける。同様に、プリセット値が登録されるテーブルは、カバレッジの数値範囲毎に各々設けられることができる。また、カバレッジの数値範囲は、他にも種々の範囲とすることができる。
【０１０９】
この場合、制御部１００は、印刷ジョブの実行に際し、入力画像データからカバレッジを用紙Ｓ毎に特定し、該特定されたカバレッジに対応するプリセット値を対応するテーブルから読み出して、上述した第２のレジスト揺動の制御を行う。また、上述のようにプリセット値が補正、更新される場合、制御部１００は、当該用紙Ｓに形成された画像のカバレッジに対応するテーブルに登録されたプリセット値を補正し、当該テーブルを更新する。
【０１１０】
上述したプリセット値の要素のうち、レジストローラー対５３ａを幅方向に移動させる移動速度は、ユーザー等によって値を的確に設定変更するために熟練が必要となることが考えられ、このため、かかる移動速度の設定値がデフォルト値のまま、あるいは空白になることがあり得る。
【０１１１】
他方、用紙Ｓが二次転写ニップに突入した後にレジストローラー対５３ａを揺動動作させると、レジストローラー対５３ａおよび二次転写ニップ間で、用紙Ｓが捩れるようなループが発生し、転写ニップで転写される画像のズレが生じる場合がある。特に、用紙Ｓが坪量すなわち剛度の高い厚紙の場合、かかるループ発生に起因する画像のズレが生じやすい。このような場合、レジストローラー対５３ａの揺動速度を下げることで、転写ニップで転写される画像のズレが抑制されることが多い。
【０１１２】
このような実情を考慮すると、制御部１００は、レジストローラー対５３ａの揺動速度を、用紙Ｓの種類、特に坪量（剛度）に応じて変えるように制御することが望ましい。このため、プリセット値のうち、レジストローラー対５３ａの揺動速度を規定するテーブルを独立して設け、かかるテーブルに、用紙Ｓの種類、特に坪量（剛度）に対応したレジストローラー対５３ａの揺動速度を登録してもよい。
【０１１３】
このように、プリセット値は、用紙Ｓの種類や画像形成装置１の設置環境などの画像形成条件によって変える必要がある。また、他にも種々の個別的な条件により、プリセット値の微調整等を行う必要性があり得る。例えば、上述のようにプリセット値が登録されるテーブルが紙種毎に設けられる場合、すなわち紙種毎に異なるプリセット値が適用できる場合であっても、使用される用紙Ｓの銘柄が異なる場合、副走査曲がりの態様が変わる場合があり得る。
【０１１４】
したがって、プリセット値は、ユーザー、管理者、サービスマンなど（以下、ユーザー等という）によって任意に書き換えられるように構成されることが望ましい。このため、制御部１００は、操作表示部２０の表示部２１に、操作部２２によってプリセット値の変更設定を行うためのプリセット値変更設定画面（図示せず）を表示し、操作部２２の入力に応じて、プリセット値を更新する制御を行う。かかるプリセット値変更設定画面では、プリセット値が登録された上述の種々のテーブルを選択できるようにして、テーブル毎にプリセット値の変更設定を行えるようにするとよい。また、代替的または付加的に、制御部１００は、プリセット値変更設定画面をＰＣなどの外部装置の表示部に表示し、かかる外部装置の操作入力部の入力に応じてプリセット値を更新する制御を行ってもよい。
【０１１５】
上述のような制御を行うことにより、操作パネル上などで、ユーザー等が任意の時期にプリセット値を変更設定できるようになる。
【０１１６】
なお、設定されたプリセット値は、他にも、例えば二次転写ニップの構成部材の耐久（摩耗状態）など、種々の要因によって誤差が生じ得る。本実施の形態では、上述した第１のレジスト揺動制御においてラインセンサー５４の検出結果によって得られた用紙Ｓの側端のずれの情報をレジスト揺動制御の補正値（揺動の目標値）としてプリセット値にフィードバックすることで、かかるプリセット値の誤差を吸収することができる。
【０１１７】
また、制御部１００は、以下のような自動調整モードの制御を行うことにより、プリセット値が登録されるテーブルを自動で設定（生成）または修正（更新）するようにしてもよい。
【０１１８】
ここで、自動調整モードでは、制御部１００は、ラインセンサー５４をオンの状態にして、同じ種類の用紙Ｓを所定の枚数（例えば２０枚）だけ転写ニップおよび定着部６０に通紙する。このとき、制御部１００は、各用紙Ｓをカバレッジ０％の白紙状態で通紙する或いは検査用のトナー画像を形成するように各部を制御する。
【０１１９】
また、制御部１００は、画像形成条件（用紙Ｓの種類等）に対応するプリセット値が登録されたテーブルが無い場合、レジスト揺動の制御を行わずに、所定枚数（２０枚）分の用紙Ｓの通紙に対するラインセンサー５４の検知結果（すなわち通紙中の用紙Ｓの幅方向端部の基準位置からのずれ量）を記録する。そして、制御部１００は、かかるラインセンサー５４の検知結果に応じて、かかる用紙Ｓに対応するプリセット値（揺動ポイント、揺動量など）が登録されるテーブルを設定する。
【０１２０】
他方、用紙Ｓの種類等に対応するプリセット値が登録されたテーブルが有る場合、制御部１００は、当該プリセット値に従ったレジスト揺動の制御を行って、所定枚数（２０枚）分の用紙Ｓの通紙に対するラインセンサー５４の検知結果を記録する。そして、制御部１００は、かかるラインセンサー５４の検知結果に応じて、かかる用紙Ｓに対応するテーブルのプリセット値（揺動ポイント、揺動量など）を補正する。
【０１２１】
このような自動調整の制御を行うことで、画像形成装置１の組み立て工程や、画像形成装置１の納入後におけるサービスマンによる調整作業の際に行われた機械監査のバラつきや、機器毎の特有の癖などを補正することができる。
【０１２２】
以下、画像形成装置１におけるレジストローラー対５３ａひいては用紙Ｓの揺動制御に関する動作の一例について説明する。図６は、画像形成装置１における揺動制御の動作例の一例を示すフローチャートである。図６に示す処理は、用紙Ｓが長尺紙である場合の制御の一例であり、印刷ジョブの実行において、画像形成される用紙Ｓの一枚毎に実行される。
【０１２３】
印刷ジョブの実行時に、制御部１００は、印刷ジョブのユーザー設定情報から、印刷しようとする用紙Ｓの種類（長さ、幅、坪量（剛度）、など）の情報を取得する（ステップＳ１００）。ここで、制御部１００は、上述したカバレッジなどの他の画像形成条件の情報を付加的に取得してもよい。
【０１２４】
ステップＳ１２０において、制御部１００は、取得された画像形成条件（この例では用紙Ｓの種類）に対応するテーブルに登録されているプリセット値を読み出して、メモリ（ＲＡＭ１０３など）に一時的に保存する。
【０１２５】
続いて、制御部１００は、用紙Ｓの先端がレジストローラー対５３ａ（レジストニップ）に突入するまで待機し（ステップＳ１４０、ＮＯ）、用紙Ｓの先端がレジストニップに突入すると（ステップＳ１４０、ＹＥＳ）、ステップＳ１６０に移行する。
【０１２６】
ステップＳ１６０において、制御部１００は、ラインセンサー５４の検出結果、すなわちラインセンサー５４によって検出される当該用紙Ｓの側端部の位置に基づいたレジスト揺動制御である第１制御を実行する。かかる第１制御により、用紙Ｓの先端側における側端部の位置のばらつきを低減させることができ、続く第２制御における精度を担保することができる。
【０１２７】
ステップＳ１７０において、制御部１００は、第１制御の制御結果に応じて、第２制御におけるレジストローラー対５３ａの揺動動作（揺動態様）に関する揺動量などの各値を設定する。すなわち、ステップＳ１７０において、制御部１００は、第１制御において動作させたレジストローラー対５３ａの揺動方向および量に基づいて、一時保存されたプリセット値を補正（更新）し、かかる更新値に従ってレジストローラー対５３ａの揺動量などを設定する。かかる補正処理により、画像が用紙Ｓに二次転写される前に揺動したレジストローラー対５３ａの揺動方向および揺動量が、第２制御に反映される。
【０１２８】
他方、第１制御においてレジストローラー対５３ａの揺動動作が行われなかった場合、ステップＳ１７０において、制御部１００は、プリセット値の補正を行なわずに、該プリセット値に従ってレジストローラー対５３ａの揺動量などを設定する。
【０１２９】
続いて、制御部１００は、用紙Ｓが二次転写ニップに突入したか否かを判定し（ステップＳ１８０）、突入していないと判定した場合（ステップＳ１８０、ＮＯ）、ステップＳ１６０およびＳ１７０の処理を続行する。他方、制御部１００は、用紙Ｓが二次転写ニップに突入したと判定すると（ステップＳ１８０、ＹＥＳ）、ラインセンサー５４をオフにして、ステップＳ２００に移行する。
【０１３０】
ステップＳ２００において、制御部１００は、プリセット値（補正が行われた場合は更新後のプリセット値）に従ってレジストローラー対５３ａの揺動制御を実行する。かかる制御により、二次転写ニップに突入した用紙Ｓに対して、第１制御での制御結果が反映されたプリセット値に従った幅方向の移動量、タイミング、速度、回数等で、レジストローラー対５３ａが揺動し、かかる揺動とともに用紙Ｓが幅方向に揺動する。
【０１３１】
このように、用紙Ｓの先端が二次転写ニップに入る前の第１制御（すなわち用紙Ｓの側端部を合わせる制御）におけるレジストローラー対５３ａの揺動量が反映されたプリセット値で第２制御を行うことによって、第２制御における精度をより高めることができる。
【０１３２】
また、第２制御の実行中にはラインセンサー５４がオフにされるため、ラインセンサー５４の使用を抑えつつ用紙Ｓの副走査曲がりを補正するレジスト揺動の制御を実現することができる。
【０１３３】
次に、制御部１００は、印刷ジョブが終了したか否かについて判定する（ステップＳ２２０）。かかる判定の結果、印刷ジョブが終了していない場合（ステップＳ２２０、ＮＯ）、制御部１００は、ステップＳ１００に戻り、次の用紙Ｓに対するレジストローラー対５３ａの第１および第２の揺動制御および画像形成等の印刷処理を行う。
【０１３４】
他方、印刷ジョブが終了した場合（ステップＳ２２０、ＹＥＳ）、制御部１００は、上述した一連の処理を終了する。
【０１３５】
このように、本実施の形態では、用紙Ｓの先端が二次転写ニップに入るまではラインセンサー５４の検出結果に基づいた第１のレジスト揺動制御が行われることにより、固定値によるレジスト揺動制御に前立って、用紙Ｓの先端側における搬送バラツキに対応した用紙Ｓの側端の位置合わせを行うことができる。
【０１３６】
また、本実施の形態によれば、第１のレジスト揺動制御の結果を第２のレジスト揺動制御に反映させることにより、レジスト揺動の精度向上に寄与することができる。
【０１３７】
総じて、本実施の形態によれば、アライメントのずれや各ローラーの幅方向における径の差などに起因する用紙Ｓの副走査曲りを、ラインセンサー５４の使用を抑えつつ補正することが出来る。したがって、本実施の形態によれば、副走査方曲がりに起因する画像ずれ等の発生を防止することができる。
【０１３８】
上述した実施の形態では、中間転写ベルト４２１を用いて印刷する画像を用紙Ｓに二次的に転写させる転写部を備えた画像形成装置の例を説明した。他方、上記実施の形態は、印刷する画像を用紙Ｓに一次的に転写させる転写方式の画像形成装置（例えばモノクロプリンタなど）に対しても、同様に適用されることができる。
【０１３９】
上述した実施の形態では、二次転写ニップの上流側に設けられ制御部１００により揺動制御される用紙搬送部材がレジストローラー対５３ａである場合を説明した。他の例として、用紙搬送部材は、例えば、レジストローラー対５３ａ以外のローラー、用紙搬送ガイド、などが付加的または代替的に適用されることができる。
【０１４０】
上述した実施の形態では、用紙Ｓとして枚葉紙を使用する場合を説明した。他方、上記実施の形態は、ロール紙に対しても同様に適用することができる。
【０１４１】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【０１４２】
１  画像形成装置
２０  操作表示部
３０  画像処理部
４０  画像形成部
５０  用紙搬送部
５３ａ  レジストローラー対（用紙搬送部材）
５４  ラインセンサー（検出部）
１００  制御部
４２１  中間転写ベルト
４２３Ｂ  バックアップローラー
４２４  二次転写ローラー
【図１】
2018184234.tif 000003
【図２】
2018184234.tif 000004
【図３】
2018184234.tif 000005
【図４】
2018184234.tif 000006
【図５】
2018184234.tif 000007
【図６】
2018184234.tif 000008